(57)【要約】カバレッジ拡張モードが作動している場合でも、無線リンク障害（RLF）を適切に検出することができるユーザ装置及び無線通信方法を提供する。UE(200)は、カバレッジ拡張モードに設定される場合、CEレベルと対応付けられている基準受信電力レベル（RSRP/RSRQ）の受信品質閾値（Qin/Qout）を設定するCEレベル設定部(230)と、設定された受信品質閾値に基づいて、無線リンクのモニタリングを実行する無線リンクモニタ部(240)とを備える。CEレベル設定部(230)は、UE(200)が何れのCEレベルに設定されているか否かに関わらず、最大のCEレベルと対応付けられている受信品質閾値を設定する。
2017078090.tif 000002
【特許請求の範囲】
【請求項１】
無線基地局から送信される無線信号の基準受信電力レベルに基づいて前記無線基地局と無線リンクを設定する第１モードと、前記第１モードよりも前記基準受信電力レベルを段階的に引き下げた複数の低減レベルの何れかに基づいて前記無線リンクを設定する第２モードとを設定可能なユーザ装置であって、
前記第２モードに設定される場合、前記低減レベルと対応付けられている前記基準受信電力レベルの受信品質閾値を設定するレベル設定部と、
前記レベル設定部によって設定された前記受信品質閾値に基づいて、前記無線リンクのモニタリングを実行する無線リンクモニタ部と
を備え、
前記レベル設定部は、前記ユーザ装置が何れの前記低減レベルに設定されているか否かに関わらず、最大の前記低減レベルと対応付けられている前記受信品質閾値を設定するユーザ装置。
【請求項２】
無線基地局から送信される無線信号の基準受信電力レベルに基づいて前記無線基地局と無線リンクを設定する第１モードと、前記第１モードよりも前記基準受信電力レベルを段階的に引き下げた複数の低減レベルの何れかに基づいて前記無線リンクを設定する第２モードとを設定可能なユーザ装置であって、
前記第２モードに設定される場合、前記低減レベルと対応付けられている前記基準受信電力レベルの受信品質閾値を設定するレベル設定部と、
前記無線信号の受信電力レベルを測定するとともに、前記レベル設定部によって設定された前記受信品質閾値に基づいて、前記無線リンクのモニタリングを実行する無線リンクモニタ部と
を備え、
前記レベル設定部は、前記ユーザ装置が何れの前記低減レベルに設定されているか否かに関わらず、前記無線リンクモニタ部によって測定された前記受信電力レベルと対応する前記受信品質閾値を設定するユーザ装置。
【請求項３】
ユーザ装置が受信する無線信号の基準受信電力レベルに基づいて前記ユーザ装置と無線リンクを設定する第１モードと、前記第１モードよりも前記基準受信電力レベルを段階的に引き下げた複数の低減レベルの何れかに基づいて前記無線リンクを設定する第２モードとを設定可能な無線通信方法であって、
前記基準受信電力レベルの受信品質閾値を前記ユーザ装置に通知する報知情報を送信するステップを含み、
前記送信するステップでは、前記低減レベル毎に対応付けられた前記受信品質閾値を含む前記報知情報を前記ユーザ装置に送信する無線通信方法。
【請求項４】
前記送信するステップでは、前記低減レベル毎に対応付けられた前記受信品質閾値と、前記基準受信電力レベルの受信品質閾値との差分を含む前記報知情報を送信する請求項３に記載の無線通信方法。
【請求項５】
ユーザ装置が受信する無線信号の基準受信電力レベルに基づいて前記ユーザ装置と無線リンクを設定する第１モードと、前記第１モードよりも前記基準受信電力レベルを段階的に引き下げた複数の低減レベルの何れかに基づいて前記無線リンクを設定する第２モードとを設定可能な無線通信方法であって、
前記ユーザ装置に対する個別の情報である個別情報を前記ユーザ装置に送信するステップを含み、
前記送信するステップでは、
前記基準受信電力レベルの受信品質閾値を含む前記個別情報を前記ユーザ装置に送信し、
前記低減レベル毎に対応付けられた前記受信品質閾値を前記個別情報に含める無線通信方法。
【請求項６】
前記送信するステップでは、前記低減レベル毎に対応付けられた前記受信品質閾値と、前記基準受信電力レベルの受信品質閾値との差分を前記個別情報に含める請求項５に記載の無線通信方法。
【請求項７】
ユーザ装置が受信する無線信号の基準受信電力レベルに基づいて前記ユーザ装置と無線リンクを設定する第１モードと、前記第１モードよりも前記基準受信電力レベルを段階的に引き下げた複数の低減レベルの何れかに基づいて前記無線リンクを設定する第２モードとを設定可能な無線通信方法であって、
前記低減レベルにおける前記無線リンクのモニタリングに適用されるタイマ関係値を前記ユーザ装置に通知する報知情報を送信するステップを含み、
前記送信するステップでは、前記低減レベル毎に対応付けられた前記タイマ関係値を前記ユーザ装置に送信する無線通信方法。
【請求項８】
前記送信するステップでは、前記低減レベル毎に対応付けられた前記タイマ関係値と、前記基準受信電力レベルに対応付けられた前記タイマ関係値との関係を特定可能な係数を前記ユーザ装置に送信する請求項７に記載の無線通信方法。
【請求項９】
ユーザ装置が受信する無線信号の基準受信電力レベルに基づいて前記ユーザ装置と無線リンクを設定する第１モードと、前記第１モードよりも前記基準受信電力レベルを段階的に引き下げた複数の低減レベルの何れかに基づいて前記無線リンクを設定する第２モードとを設定可能な無線通信方法であって、
前記低減レベルにおける前記無線リンクのモニタリングに適用されるタイマ関係値を前記ユーザ装置に通知する報知情報を送信するステップを含み、
前記送信するステップでは、前記基準受信電力レベルと対応付けられたタイマ関係値と異なり、前記低減レベルの一部と対応付けられた前記タイマ関係値を前記ユーザ装置に送信する無線通信方法。
【請求項１０】
ユーザ装置が受信する無線信号の基準受信電力レベルに基づいて前記ユーザ装置と無線リンクを設定する第１モードと、前記第１モードよりも前記基準受信電力レベルを段階的に引き下げた複数の低減レベルの何れかに基づいて前記無線リンクを設定する第２モードとを設定可能な無線通信方法であって、
前記ユーザ装置に対する個別の情報である個別情報を前記ユーザ装置に送信するステップを含み、
前記送信するステップでは、
前記低減レベルにおける前記無線リンクのモニタリングに適用されるタイマ関係値を含む前記個別情報を前記ユーザ装置に送信し、
前記基準受信電力レベルと対応付けられたタイマ関係値と異なり、前記低減レベルの一部と対応付けられた前記タイマ関係値を前記個別情報に含める無線通信方法。
【発明の詳細な説明】
【技術分野】
【０００１】
本発明は、カバレッジ拡張モード（EC mode）に対応したユーザ装置及び無線通信方法に関する。
【背景技術】
【０００２】
3rd Generation Partnership Project（3GPP）は、Long Term Evolution（LTE）を仕様化し、LTEの更なる高速化を目的としてLTE-Advanced（以下、LTE-Advancedを含めてLTEという）を仕様化している。【０００３】
LTEのRelease-13では、Machine Type Communication（MTC）用のユーザ装置（MTC-UE）に関する規定として、セルのカバレッジ拡張と同様の効果を目的としたカバレッジ拡張モード（EC mode: Enhanced Coverage mode）が検討されている。【０００４】
カバレッジ拡張モードは、MTC-UEが設置される場所（地下や金属箱内など）の特徴などを考慮し、受信電力レベル（RSRP/RSRQ）の閾値を段階的に引き下げることによって、等価的にセルのカバレッジを拡張する技術である。具体的には、Cell Extension（CE）レベル0（拡張なし）からCEレベル3までが規定されている。【０００５】
カバレッジ拡張モードでは、CEレベルに応じた無線リンクのモニタリング（RLM）を実行する必要性が指摘されている（例えば、非特許文献１）。また、3GPPでは、CEレベルに応じた無線リンク障害（RLF）の判定条件を規定する可能性についても合意されている。
【先行技術文献】
【非特許文献】
【０００６】
【非特許文献１】3GPP R2-153615 “RLM/RLF for Rel13 low complexity UE or/and UE in EC mode,” Nokia Networks、3GPP、2015年8月
【発明の概要】
【０００７】
上述したように、カバレッジ拡張モードは、伝播環境が悪い悪条件下で作動する。従って、カバレッジ拡張モードでは、無線基地局（eNB）から到達する無線信号のSINR（Single to Interference and Noise Ratio）が低い領域において、MTC-UEは、RLMを実行することとなる。このような場合、必要なモニタリングの完了するまでに時間を要し、RLMの時間が長くなる可能性が指摘されている。
【０００８】
このため、カバレッジ拡張モードでない通常モード（非カバレッジ拡張モード）に適用されるRLF検出用のタイマ関連の閾値（タイマ関係値）、具体的には、T310/T311/N310/N311を適用すると、RLMを実行するための十分な測定時間を確保できず、予期しないRLFが多発することが懸念される。
【０００９】
そこで、本発明は、このような状況に鑑みてなされたものであり、カバレッジ拡張モードが作動している場合でも、無線リンク障害（RLF）を適切に検出することができるユーザ装置及び無線通信方法の提供を目的とする。
【００１０】
本発明の一態様に係るユーザ装置は、無線基地局から送信される無線信号の基準受信電力レベルに基づいて前記無線基地局と無線リンクを設定する第１モードと、前記第１モードよりも前記基準受信電力レベルを段階的に引き下げた複数の低減レベルの何れかに基づいて前記無線リンクを設定する第２モードとを設定可能である。
【００１１】
ユーザ装置は、前記第２モードに設定される場合、前記低減レベルと対応付けられている前記基準受信電力レベルの受信品質閾値を設定するレベル設定部と、前記レベル設定部によって設定された前記受信品質閾値に基づいて、前記無線リンクのモニタリングを実行する無線リンクモニタ部とを備える。前記レベル設定部は、前記ユーザ装置が何れの前記低減レベルに設定されているか否かに関わらず、最大の前記低減レベルと対応付けられている前記受信品質閾値を設定する。
【００１２】
本発明の一態様に係るユーザ装置は、無線基地局から送信される無線信号の基準受信電力レベルに基づいて前記無線基地局と無線リンクを設定する第１モードと、前記第１モードよりも前記基準受信電力レベルを段階的に引き下げた複数の低減レベルの何れかに基づいて前記無線リンクを設定する第２モードとを設定可能である。
【００１３】
ユーザ装置は、前記第２モードに設定される場合、前記低減レベルと対応付けられている前記基準受信電力レベルの受信品質閾値を設定するレベル設定部と、前記無線信号の受信電力レベルを測定するとともに、前記レベル設定部によって設定された前記受信品質閾値に基づいて、前記無線リンクのモニタリングを実行する無線リンクモニタ部とを備える。前記レベル設定部は、前記ユーザ装置が何れの前記低減レベルに設定されているか否かに関わらず、前記無線リンクモニタ部によって測定された前記受信電力レベルと対応する前記受信品質閾値を設定する。
【００１４】
本発明の一態様に係る無線通信方法は、ユーザ装置が受信する無線信号の基準受信電力レベルに基づいて前記ユーザ装置と無線リンクを設定する第１モードと、前記第１モードよりも前記基準受信電力レベルを段階的に引き下げた複数の低減レベルの何れかに基づいて前記無線リンクを設定する第２モードとを設定可能である。
【００１５】
無線通信方法は、前記基準受信電力レベルの受信品質閾値を前記ユーザ装置に通知する報知情報を送信するステップを含む。前記送信するステップでは、前記低減レベル毎に対応付けられた前記受信品質閾値を含む前記報知情報を前記ユーザ装置に送信する。
【００１６】
本発明の一態様に係る無線通信方法は、ユーザ装置が受信する無線信号の基準受信電力レベルに基づいて前記ユーザ装置と無線リンクを設定する第１モードと、前記第１モードよりも前記基準受信電力レベルを段階的に引き下げた複数の低減レベルの何れかに基づいて前記無線リンクを設定する第２モードとを設定可能である。
【００１７】
無線通信方法は、前記ユーザ装置に対する個別の情報である個別情報を前記ユーザ装置に送信するステップを含む。前記送信するステップでは、前記基準受信電力レベルの受信品質閾値を含む前記個別情報を前記ユーザ装置に送信し、前記低減レベル毎に対応付けられた前記受信品質閾値を前記個別情報に含める。
【００１８】
本発明の一態様に係る無線通信方法は、ユーザ装置が受信する無線信号の基準受信電力レベルに基づいて前記ユーザ装置と無線リンクを設定する第１モードと、前記第１モードよりも前記基準受信電力レベルを段階的に引き下げた複数の低減レベルの何れかに基づいて前記無線リンクを設定する第２モードとを設定可能である。
【００１９】
無線通信方法は、前記低減レベルにおける前記無線リンクのモニタリングに適用されるタイマ関係値を前記ユーザ装置に通知する報知情報を送信するステップを含む。前記送信するステップでは、前記低減レベル毎に対応付けられた前記タイマ関係値を前記ユーザ装置に送信する。
【００２０】
本発明の一態様に係る無線通信方法は、ユーザ装置が受信する無線信号の基準受信電力レベルに基づいて前記ユーザ装置と無線リンクを設定する第１モードと、前記第１モードよりも前記基準受信電力レベルを段階的に引き下げた複数の低減レベルの何れかに基づいて前記無線リンクを設定する第２モードとを設定可能である。
【００２１】
無線通信方法は、前記低減レベルにおける前記無線リンクのモニタリングに適用されるタイマ関係値を前記ユーザ装置に通知する報知情報を送信するステップを含む。前記送信するステップでは、前記基準受信電力レベルと対応付けられたタイマ関係値と異なり、前記低減レベルの一部と対応付けられた前記タイマ関係値を前記ユーザ装置に送信する。
【００２２】
本発明の一態様に係る無線通信方法は、ユーザ装置が受信する無線信号の基準受信電力レベルに基づいて前記ユーザ装置と無線リンクを設定する第１モードと、前記第１モードよりも前記基準受信電力レベルを段階的に引き下げた複数の低減レベルの何れかに基づいて前記無線リンクを設定する第２モードとを設定可能である。
【００２３】
無線通信方法は、前記ユーザ装置に対する個別の情報である個別情報を前記ユーザ装置に送信するステップを含む。前記送信するステップでは、前記低減レベルにおける前記無線リンクのモニタリングに適用されるタイマ関係値を含む前記個別情報を前記ユーザ装置に送信し、前記基準受信電力レベルと対応付けられたタイマ関係値と異なり、前記低減レベルの一部と対応付けられた前記タイマ関係値を前記個別情報に含める。
【図面の簡単な説明】
【００２４】
【図１】図１は、無線通信システム10の全体概略構成図である。
【図２】図２は、eNB100の機能ブロック構成図である。
【図３】図３は、UE200の機能ブロック構成図である。
【図４】図４は、eNB100からUE200に送信される報知情報の通知シーケンスを示す図である。
【図５】図５は、eNB100とUE200とによって実行されるRA手順及びRRCコネクションの確立シーケンスを示す図である。
【図６】図６は、CEレベルの設定動作例１を示すフローチャートである。
【図７】図７は、CEレベルの設定動作例２を示すフローチャートである。
【図８】図８（ａ）及び（ｂ）は、CEレベルの設定動作例３を示すフローチャートである。
【図９】図９は、CEレベルの設定動作例４を示すフローチャートである。
【図１０】図１０（ａ）及び（ｂ）は、CEレベルの設定動作例５を示すフローチャートである。
【図１１】図１１は、CEレベルの設定動作例６を示すフローチャートである。
【発明を実施するための形態】
【００２５】
以下、実施形態を図面に基づいて説明する。なお、同一の機能や構成には、同一または類似の符号を付して、その説明を適宜省略する。
【００２６】
（１）無線通信システムの全体概略構成
図１は、本実施形態に係る無線通信システム10の全体概略構成図である。無線通信システム10は、Long Term Evolution（LTE）に従った無線通信システムであり、無線アクセスネットワーク20及び移動局200（以下、UE200）を含む。
【００２７】
無線アクセスネットワーク20は、3GPPにおいて規定されるEvolved Universal Terrestrial Radio Access Network（E-UTRAN）であり、無線基地局100（以下、eNB100）を含む。なお、無線通信システム10は、必ずしもLTE（E-UTRAN）に限定されない。例えば、無線アクセスネットワーク20は、5Gとして規定されるUE200（ユーザ装置）と無線通信を実行する無線基地局を含む無線アクセスネットワークであってもよい。
【００２８】
eNB100及びUE200は、LTEの仕様に従った無線通信を実行する。特に、本実施形態では、eNB100及びUE200は、カバレッジ拡張モード（EC mode: Enhanced Coverage mode）に対応している。
【００２９】
具体的には、eNB100及びUE200は、通常モード（非カバレッジ拡張モード）及びカバレッジ拡張モードの何れかに基づいて、無線リンクを設定することができる。
【００３０】
非カバレッジ拡張モード（第１モード）は、eNB100から送信される無線信号の基準受信電力レベル（具体的には、RSRP/RSRQ）に基づいて無線リンクが設定される。カバレッジ拡張モードは、非カバレッジ拡張モードよりも基準受信電力レベルを段階的に引き下げた複数のCEレベル（低減レベル）の何れかに基づいて無線リンクが設定される。
【００３１】
CEレベルは、CEレベル0（拡張なし）〜CEレベル3までが規定される。例えば、CEレベル1では、基準受信電力レベルが5dB低減され、CEレベル3では、基準受信電力レベルが15dB低減される。
【００３２】
UE200は、このようにカバレッジ拡張モードに対応しており、UE200の種別は特に限定されないものの、本実施形態では、特に、Machine Type Communication（MTC）を実行するユーザ装置（MTC-UE）を意図している。
【００３３】
（２）無線通信システムの機能ブロック構成
次に、無線通信システム10の機能ブロック構成について説明する。具体的には、eNB100及びUE200の機能ブロック構成について説明する。
【００３４】
（２．１）eNB100
図２は、eNB100の機能ブロック構成図である。図２に示すように、eNB100は、CEレベル設定部110、受信品質閾値保持部120、タイマ値保持部130、報知情報送信部140、個別情報送信部150及び無線通信部160を備える。
【００３５】
なお、図２に示すように、eNB100の各機能ブロックは、無線通信モジュール、プロセッサ（メモリを含む）、機能モジュール（ネットワークIFなど）及び電源などのハードウェア要素によって実現される。
【００３６】
CEレベル設定部110は、カバレッジ拡張モードにおけるCEレベル（レベル0〜3）を設定する。具体的には、CEレベル設定部110は、eNB100が対応するCEレベルを設定する。さらに、CEレベル設定部110は、報知情報または個別情報によってUE200に当該CEレベルを通知させる。
【００３７】
また、CEレベル設定部110は、無線通信部160を介してUE200に適用されるCEレベルを設定する。
【００３８】
受信品質閾値保持部120は、UE200が受信するeNB100からの無線信号の基準受信電力レベル（RSRP/RSRQ）の受信品質閾値を保持する。具体的には、受信品質閾値保持部120は、RSRP/RSRQに応じたCEレベル毎のQin及びQout値を保持する。
【００３９】
Qoutは、無線リンク障害（RLF）、具体的には、同期外れ（out of sync.）の検出に用いられる閾値である。Qinは、RLFからの復旧、具体的には、同期確立（in sync.）の検出に用いられる閾値である。Qin及びQoutについては、3GPP TS36.133などで規定されている。
【００４０】
タイマ値保持部130は、UE200と設定される無線リンクのモニタリングに適用されるタイマ関係値を保持する。具体的には、タイマ値保持部130は、タイマ関係値として、T310/T311/N310/N311を保持する。
【００４１】
T310は、Radio link failure timerであり、無線リンクの障害を検出するまでの時間を規定する。T311は、RRC re-establishment timerであり、無線リンクの復旧を検出するまでの時間を規定する。
【００４２】
N310は、Maximum consecutive out-of-sync indications from lower layersであり、T310を起動するまでの同期外れ（out of sync.）の検出回数を規定する。N311は、Minimum consecutive in-sync indications from lower layersであり、T310を停止するまでの同期確立（in sync.）の検出回数を規定する。
【００４３】
タイマ値保持部130は、非カバレッジ拡張モードだけでなく、カバレッジ拡張モード、つまり、CEレベルにおける無線リンクのモニタリングに適用されるタイマ関係値を保持得する。
【００４４】
報知情報送信部140は、複数のUE200に向けて報知情報を送信する。具体的には、報知情報送信部140は、複数のUE200に向けてブロードキャストされるMaster Information Block（MIB）及びSystem Information Block（SIB）を送信する。
【００４５】
また、報知情報送信部140は、UE200における基準受信電力レベル（RSRP/RSRQ）の受信品質閾値（Qin/Qout）をUE200に通知する報知情報を送信することができる。
【００４６】
具体的には、報知情報送信部140は、当該受信品質閾値を含む報知情報（MIBまたはSIB）を送信する。また、報知情報送信部140は、CEレベル毎に対応付けられた受信品質閾値を含む報知情報をUE200に送信することもできる。
【００４７】
或いは、報知情報送信部140は、CEレベル毎に対応付けられた受信品質閾値と、非カバレッジ拡張モードにおける基準受信電力レベルの受信品質閾値との差分を含む報知情報を送信することもできる。
【００４８】
また、報知情報送信部140は、タイマ値保持部130によって保持されているタイマ関係値をUE200に通知する報知情報を送信する。
【００４９】
タイマ関係値を通知する場合、報知情報送信部140は、CEレベル毎に対応付けられたタイマ関係値と、非カバレッジ拡張モードにおける基準受信電力レベルに対応付けられたタイマ関係値との関係を特定可能な係数をUE200に送信することができる。
【００５０】
具体的には、報知情報送信部140は、当該係数として、T310/T311/N310/N311に適用するscaling factorを送信することができる。例えば、CEレベル3におけるT310の値が、非カバレッジ拡張モード（CEレベル0を含む）のT310の値のα倍である場合、αの値をUE200に送信する。
【００５１】
また、報知情報送信部140は、非カバレッジ拡張モードにおける基準受信電力レベルと対応付けられたタイマ関係値と異なり、CEレベルの一部と対応付けられたタイマ関係値をUE200に送信することもできる。
【００５２】
具体的には、報知情報送信部140は、CEレベルの一部（例えば、CEレベル2, 3）と対応付けられたタイマ関係値のみをUE200に送信する。
【００５３】
個別情報送信部150は、UE200に対する個別の情報である個別情報をUE200に送信する。具体的には、個別情報送信部150は、RadioResourceConfigDedicatedをUE200に送信する。RadioResourceConfigDedicatedは、3GPP TS36.331において規定されており、RRCコネクションの設定手順の中で、UE200に送信される。
【００５４】
個別情報送信部150は、非カバレッジ拡張モードにおける基準受信電力レベルの受信品質閾値を含む個別情報（RadioResourceConfigDedicated）をUE200に送信するとともに、CEレベル毎に対応付けられた受信品質閾値（Qin/Qout）を当該個別情報に含めることがきる。
【００５５】
或いは、個別情報送信部150は、CEレベル毎に対応付けられた受信品質閾値と、非カバレッジ拡張モードにおける基準受信電力レベルの受信品質閾値との差分を個別情報に含めることもできる。
【００５６】
個別情報送信部150は、CEレベルにおける無線リンクのモニタリングに適用されるタイマ関係値を含む個別情報（RadioResourceConfigDedicated）をUE200に送信する。
【００５７】
また、個別情報送信部150は、非カバレッジ拡張モードにおける基準受信電力レベルと対応付けられたタイマ関係値と異なり、CEレベルの一部と対応付けられたタイマ関係値を個別情報に含めることもできる。
【００５８】
具体的には、個別情報送信部150は、CEレベルの一部（例えば、CEレベル2, 3）と対応付けられたタイマ関係値のみを個別情報に含めることもできる。
【００５９】
無線通信部160は、UE200と無線通信を実行する。具体的には、無線通信部160は、ランダムアクセス（RA）手順の実行、及びRRCコネクションの設定などを実行し、無線リンクを設定する。
【００６０】
（２．２）UE200
図３は、UE200の機能ブロック構成図である。図３に示すように、UE200は、報知情報受信部210、個別情報受信部220、CEレベル設定部230、無線リンクモニタ部240及び無線通信部250を備える。
【００６１】
なお、図３に示すように、UE200の各機能ブロックは、無線通信モジュール、プロセッサ（メモリを含む）、機能モジュール（外部接続IF、位置検出、各種測定など）、ディスプレイ及び電源（バッテリ含む）などのハードウェア要素によって実現される。
【００６２】
報知情報受信部210は、eNB100によって送信される報知情報を受信する。具体的には、報知情報受信部210は、eNB100によって送信されるMIB及びSIBを受信する。
【００６３】
個別情報受信部220は、eNB100によって送信される個別情報を受信する。具体的には、個別情報受信部220は、eNB100によって送信されるRadioResourceConfigDedicatedを受信する。
【００６４】
CEレベル設定部230は、UE200がカバレッジ拡張モード（第２モード）に設定される場合、eNB100から送信される無線信号（参照信号）の受信電力レベル（RSRP/RSRQ）に基づいて、UE200に設定するCEレベル（0〜3）を決定する。
【００６５】
具体的には、CEレベル設定部230は、無線リンクモニタ部240によって測定された参照信号のRSRP/RSRQが低い程、基準受信電力レベルの低減幅が大きいCEレベルを決定する。上述したように、CEレベル1では、基準受信電力レベルが5dB低減され、CEレベル3では、基準受信電力レベルが15dB低減される。
【００６６】
また、CEレベル設定部230は、決定したCEレベルと対応付けられている基準受信電力レベルの受信品質閾値（Qin/Qout）を設定する。
【００６７】
CEレベル設定部230は、UE200が何れのCEレベルに設定されているか否かに関わらず、最大のCEレベルと対応付けられている受信品質閾値を設定することができる。つまり、CEレベル設定部230は、eNB100から送信された参照信号のRSRP/RSRQに対応付けられているCEレベルがレベル1の場合でも、eNB100がCEレベル3（最大のCEレベル）に対応している場合、CEレベル3と対応付けられている受信品質閾値を設定する。
【００６８】
或いは、CEレベル設定部230は、UE200が何れのCEレベルに設定されているか否かに関わらず、無線リンクモニタ部240によって測定されたRSRP/RSRQと対応する受信品質閾値を設定することもできる。例えば、CEレベル設定部230は、eNB100がCEレベル3まで対応している場合でも、測定されたRSRP/RSRQと対応するCEレベルがレベル1の場合には、CEレベル1と対応付けられている受信品質閾値を設定する。
【００６９】
無線リンクモニタ部240は、eNB100と設定した無線リンクのモニタを実行する。具体的には、無線リンクモニタ部240は、無線通信部250によって設定された無線リンクのモニタを実行する。また、無線リンクモニタ部240は、eNB100から送信された無線信号（参照信号）の受信電力レベル（RSRP/RSRQ）を測定する。
【００７０】
特に、本実施形態では、無線リンクモニタ部240は、CEレベル設定部230によって設定された受信品質閾値に基づいて、無線リンクのモニタリングを実行する。
【００７１】
無線通信部250は、eNB100と無線通信を実行する。具体的には、無線通信部250は、ランダムアクセス（RA）手順の実行、及びRRCコネクションの設定などを実行し、無線リンクを設定する。
【００７２】
（３）無線通信システムの動作
次に、無線通信システム10の動作について説明する。具体的には、報知情報の送信、個別情報の送信、及びカバレッジ拡張モードにおけるCEレベルの設定動作について説明する。
【００７３】
（３．１）報知情報の送信
図４は、eNB100からUE200に送信される報知情報の通知シーケンスを示す。図４に示すように、eNB100は、まず、Master Information Block（MIB）を送信する（S10）。
【００７４】
eNB100は、MIBの送信に引き続いて、System Information Block（SIB）を送信する（S20）。SIBは、複数規定されており、eNB100は、SIB Type 1（SIB1）から順次送信する。
【００７５】
上述したように、eNB100は、MIBまたはSIB（SIB1〜SIB5など）に、CEレベル毎に対応付けられた受信品質閾値及びタイマ関係値を含めることができる。
【００７６】
なお、eNB100は、既存のMIBまたはSIBでなく、MTC-UE向けの新たなSIBに、CEレベル毎に対応付けられた受信品質閾値及びタイマ関係値を含めてもよい。
【００７７】
（３．２）個別情報の送信
図５は、eNB100とUE200とによって実行されるRA手順及びRRCコネクションの確立シーケンスを示す。図５に示すように、UE200は、RRCコネクションの確立に先立って、RA手順を実行する。具体的には、UE200は、RA PreambleをeNB100に送信する（S110）。
【００７８】
eNB100は、RA Preambleに対する応答であるRA ResponseをUE200に返送する（S120）。UE200は、RA ResponseによってeNB100との通信に用いる無線リソースの情報などを取得する。
【００７９】
UE200は、無線アクセスネットワーク20（eNB100）との通信を開始するため、RRCConnectionRequestをeNB100に送信する（S130）。
【００８０】
eNB100は、受信したRRCConnectionRequestに基づいて、RRCConnectionSetupを送信する（S140）。
【００８１】
UE200は、受信したRRCConnectionSetupの内容に基づいてRRCコネクションを設定し、RRCコネクションを確立する。UE200は、RRCコネクションの設定が完了すると、RRCConnectionSetupCompleteをeNB100に送信する（S150）。
【００８２】
上述したように、eNB100は、RRCコネクションの設定においてUE200に送信されるRadioResourceConfigDedicatedに、CEレベル毎に対応付けられた受信品質閾値及びタイマ関係値を含めることができる。
【００８３】
（３．３）カバレッジ拡張モードにおけるCEレベルの設定動作
次に、図６〜図１１を参照して、カバレッジ拡張モードにおけるCEレベルの設定動作について説明する。
（３．３．１）動作例１
図６は、CEレベルの設定動作例１を示すフローチャートである。図６に示すように、UE200は、eNB100が対応しているCEレベルを取得する（S210）。
【００８４】
UE200は、eNB100が形成するセルの受信品質を測定する（S220）。具体的には、UE200は、eNB100から送信される無線信号（参照信号）の受信電力レベルを測定し、当該セルの受信品質を判定する。
【００８５】
UE200は、当該受信品質に基づいて、カバレッジ拡張モードに設定するか否かを決定する（S230）。
【００８６】
カバレッジ拡張モードに設定する場合、UE200は、当該セルの受信品質に関わらず、eNB100が対応しているCEレベルのうち、最もカバレッジ拡張度が大きいCEレベル（例えば、CEレベル3）の受信品質閾値（具体的には、Qout）を設定する（S240）。つまり、UE200は、UE200が何れのCEレベルに設定されているか否かに関わらず、最大のCEレベルと対応付けられている受信品質閾値を設定する。
【００８７】
例えば、UE200による当該セルの受信品質の測定結果がCEレベル1であったとしても、eNB100がCEレベル3まで対応している場合、CEレベル3と対応付けられているQoutを用いて無線リンクのモニタリングを実行する。
【００８８】
なお、eNB100は、報知情報（SIB2）によって、CEレベル毎に異なるRACHリソース（PRACH-Config, RACH-Config）を報知するが、UE200は、CEレベル毎にRACHリソースが報知されているか否かによって、当該セルにおけるCEレベルの対応有無を判定できる。
【００８９】
非カバレッジ拡張モードに設定する場合、UE200は、非カバレッジ拡張モードと対応付けられている、つまり、通常の受信品質閾値（Qout）を設定する（S250）
UE200は、ステップS240またはステップS250において設定された当該Qoutを用いて無線リンクのモニタリングを実行する（S260）。
【００９０】
（３．３．２）動作例２
図７は、CEレベルの設定動作例２を示すフローチャートである。図７は、図６に示した動作例１のステップS240の処理を置き換えたものである。
【００９１】
図７に示すように、カバレッジ拡張モードに設定する場合、UE200は、測定した受信品質と対応付けられているCEレベルを決定する。UE200は、決定したCEレベルと対応する受信品質閾値（Qout）を設定する（S240A）。つまり、UE200は、UE200が何れのCEレベルに設定されているか否かに関わらず、測定された受信電力レベル（RSRP/RSRQ）と対応する受信品質閾値を設定する。
【００９２】
例えば、eNB100がCEレベル3まで対応している場合でも、UE200による当該セルの受信品質の測定結果がCEレベル1と対応する場合、CEレベル1と対応付けられているQoutを用いて無線リンクのモニタリングを実行する。
【００９３】
なお、動作例２は、動作例１と相反する動作だが、CEレベルが変化した場合でも、無線リンクを設定後、UE200は、eNB100に当該変化したことを通知しないことが想定されるため、実際の受信電力レベルに応じた受信品質閾値を設定することが好ましい場合も考えられるためである。
【００９４】
（３．３．３）動作例３
図８（ａ）及び（ｂ）は、CEレベルの設定動作例３を示すフローチャートである。図８（ａ）に示すように、eNB100は、CEレベル毎の受信品質閾値（Qin/Qout）を含む報知情報（MIBまたはSIB）を送信する（S310）。
【００９５】
UE200は、当該報知情報を受信し、CEレベル毎の受信品質閾値を取得する（S320）。
【００９６】
既存の3GPPの規定では、受信品質閾値（Qin/Qout）は、PDCCH（physical downlink control channel）が送信される領域のCRS（cell specific reference signal）のSINRの値を閾値とすることが暗示的に定められている。具体的には、3GPP TS36.133のシミュレーション条件に基づいて当該閾値を求めることができるようになっているが、当該閾値は、明確には規定されていない。
【００９７】
例えば、Qin: -6 dB、Qout: -8 dBという閾値がシミュレーション評価用の値としてTR 36.839に記載されている。
【００９８】
また、図８（ｂ）に示すように、eNB100は、CEレベル毎に、非カバレッジ拡張モードの受信品質閾値（Qin/Qout）との差分を含む報知情報（MIBまたはSIB）を送信することもできる（S310A）。
【００９９】
例えば、非カバレッジ拡張モードのQin/Qout（-6dB, -8dB）と、CEレベル1のQin/Qoutとの差分の値（dB）を含む報知情報を送信する。
【０１００】
なお、報知情報を用いない場合、CEレベル毎の受信品質閾値（Qin/Qout）をUE200が固定値として記憶する形態でも構わない。
【０１０１】
（３．３．４）動作例４
図９は、CEレベルの設定動作例４を示すフローチャートである。図９に示すように、eNB100は、CEレベル毎の受信品質閾値（Qin/Qout）を含む個別情報（RadioResourceConfigDedicated）を送信する（S410）。
【０１０２】
UE200は、当該個別情報を受信し、CEレベル毎の受信品質閾値を取得する（S420）。
【０１０３】
具体的には、UE200は、測定した無線信号（参照信号）のRSRP/RSRQに応じ選択したRA PreambleをeNB100に送信（図５のステップS110参照）し、eNB100は、当該RA Preambleを受信することによって、UE200が測定したRSRP/RSRQに対応するCEレベルを認識することができる。
【０１０４】
そこで、eNB100は、ステップS410において、全てのCEレベルの受信品質閾値を送信してもよいが、UE200が測定したRSRP/RSRQに対応するCEレベルの受信品質閾値のみを送信してもよい。
【０１０５】
（３．３．５）動作例５
図１０（ａ）及び（ｂ）は、CEレベルの設定動作例５を示すフローチャートである。図１０（ａ）に示すように、eNB100は、CEレベル毎のタイマ関係値（T310/T311/N310/N311）を含む報知情報（MIBまたはSIB）を送信する（S510）。
【０１０６】
UE200は、当該報知情報を受信し、CEレベル毎のタイマ関係値を取得する（S520）。
【０１０７】
また、図１０（ｂ）に示すように、eNB100は、CEレベル毎のタイマ関係値をそのまま送信するのではなく、CEレベル毎に対応付けられたタイマ関係値と、非カバレッジ拡張モードにおける基準受信電力レベルに対応付けられたタイマ関係値との関係を特定可能な係数を含む報知情報を送信することもできる（S510A）。
【０１０８】
具体的には、上述したように、例えば、CEレベル3におけるT310の値が、非カバレッジ拡張モード（CEレベル0を含む）のT310の値のα倍である場合、αの値を当該係数（scaling factor）として報知情報に含めることができる。
【０１０９】
また、eNB100は、非カバレッジ拡張モードにおけるタイマ関係値と異なり、CEレベルの一部と対応付けられたタイマ関係値を含む報知情報を送信することもできる（S510B）。
【０１１０】
具体的には、eNB100は、従来のSIB2によって報知される非カバレッジ拡張モードにおけるタイマ関係値と異なるタイマ関係値を適用する一部のCEレベル用のT310/T311/N310/N311を報知情報に含めることができる。
【０１１１】
さらに、このように一部のCEレベル用のT310/T311/N310/N311を報知情報に含める場合でも、eNB100は、当該一部のCEレベルに対応付けられたタイマ関係値と、非カバレッジ拡張モードにおける基準受信電力レベルに対応付けられたタイマ関係値との関係を特定可能な係数を報知情報に含めることができる（S510C）。
【０１１２】
（３．３．６）動作例６
図１１は、CEレベルの設定動作例６を示すフローチャートである。図１１に示すように、eNB100は、UE200に適用されるCEレベルを判定する（S610）。上述したように、eNB100は、UE200からRA Preambleを受信することによって、UE200が測定したRSRP/RSRQに対応するCEレベルを認識することができる。
【０１１３】
eNB100は、UE200のCEレベルに基づいて、カバレッジ拡張モードのタイマ関係値を適用するか否かを判定する（S620）。具体的には、eNB100は、UE200のCEレベルに応じて、報知情報によって送信される従来（非カバレッジ拡張モード）のタイマ関係値（T310/T311/N310/N311）を適用するか、当該CEレベル用の異なるタイマ関係値を適用するかを判定する。
【０１１４】
カバレッジ拡張モードのタイマ関係値を適用する場合、eNB100は、当該タイマ関係値を含む個別情報（RadioResourceConfigDedicated）をUE200に送信する（S630）。つまり、eNB100は、非カバレッジ拡張モードのタイマ関係値と異なるタイマ関係値を適用する場合、従来のSIB2によって報知される非カバレッジ拡張モードにおけるタイマ関係値と異なるタイマ関係値を個別情報によってUE200に通知する。
【０１１５】
UE200は、当該タイマ関係値を含む個別情報を受信する（S640）。
【０１１６】
（３．３．７）その他
上述した動作例３〜６では、CEレベル毎に、受信品質閾値（Qin/Qout）及びタイマ関係値（T310/T311/N310/N311）を設定することを前提としていたが、CEレベル毎ではなく、パターンを絞っても構わない。例えば、CEレベル0,1に共通の受信品質閾値及びタイマ関係値を設定し、CEレベル2,3に共通であって、CEレベル0,1とは異なる受信品質閾値及びタイマ関係値を設定してもよい。
【０１１７】
（４）作用・効果
上述した実施形態によれば、以下の作用効果が得られる。上述したように、UE200は、カバレッジ拡張モードに設定する場合、最大のCEレベル（CEレベル3）と対応付けられている受信品質閾値（Qin/Qout）を設定するか、測定された受信電力レベルと対応する受信品質閾値を設定するかを決定することができる。
【０１１８】
このため、カバレッジ拡張モードが作動している場合でも、無線通信システム10内の条件や環境に応じた受信品質閾値を設定できる。これにより、カバレッジ拡張モードが作動している場合でも、無線リンク障害（RLF）を適切に検出することができる。
【０１１９】
また、上述したように、各CEレベルと対応付けられた受信品質閾値及びタイマ関係値は、報知情報（MIB/SIB）または個別情報（RadioResourceConfigDedicated）に含めてUE200に通知することができる。このため、UE200は、設定するCEレベルに応じた適切な受信品質閾値及びタイマ関係値を設定できる。これにより、カバレッジ拡張モードが作動している場合でも、無線リンク障害（RLF）を適切に検出することができる。
【０１２０】
特に、カバレッジ拡張モードの場合、無線リンクのモニタリングに時間を要する場合が想定されているが、このような場合でも、当該モニタリングの必要時間に応じた適切なタイマ関係値を設定できる。
【０１２１】
本実施形態では、受信品質閾値をUE200に送信する際に、CEレベル毎に対応付けられた受信品質閾値と、非カバレッジ拡張モードにおける基準受信電力レベルの受信品質閾値との差分を用いることができる。このため、UE200に送信すべき情報量を抑制しつつ、UE200は、適切な受信品質閾値を設定できる。
【０１２２】
同様に、本実施形態では、タイマ関係値をUE200に送信する際に、CEレベル毎に対応付けられたタイマ関係値と、非カバレッジ拡張モードにおける基準受信電力レベルに対応付けられたタイマ関係値との関係を特定可能な係数（scaling factor）を用いることができる。このため、UE200に送信すべき情報量を抑制しつつ、UE200は、適切なタイマ関係値を設定できる。
【０１２３】
また、無線通信システム10によれば、カバレッジ拡張モードに対応するUE200が、無線リンクの障害（RLF）を検出する条件が明確化され、より公平かつ緻密な無線通信システム10の運用が可能となる。
【０１２４】
（５）その他の実施形態
以上、実施形態に沿って本発明の内容を説明したが、本発明はこれらの記載に限定されるものではなく、種々の変形及び改良が可能であることは、当業者には自明である。
【０１２５】
例えば、上述した実施形態では、個別情報としてRadioResourceConfigDedicatedが用いられていたが、必ずしもRadioResourceConfigDedicatedでなくても構わない。つまり、eNB100からUE200に個別に送信される情報であれば、他のメッセージを用いても構わない。
【０１２６】
また、上述した実施形態では、MTC-UEを意図している旨説明したが、UE200の種別としては、6RB（リソースブロック）、つまり、1.4MHzの帯域で無線通信を実行するMTC向けのUE（例えば、Further LTE Physical Layer Enhancements for MTC (RP-150492)参照）だけではなく、NarrowBand(NB)-IoT（例えば、RP-151621）が含まれてもよい。NB-IoT向けのUEは、1RB（180KHz帯域）で無線通信を実行する。
【０１２７】
さらに、上述した実施形態では、UE200は、無線信号（参照信号）のRSRP/RSRQを測定し、当該RSRP/RSRQと対応する受信品質閾値（Qin/Qout）を設定していたが、UE200は、RSRP/RSRQではなく、無線信号、具体的には、Cell specific Reference Signal（CRS）に基づいてSINR（Single to Interference and Noise Ratio）を測定し、当該SINRと対応する受信品質閾値を設定してもよい。
【０１２８】
さらに、上述した実施形態におけるシーケンス及びフローチャートなどは、矛盾の無い限り、順序を入れ替えてもよい。
【０１２９】
また、本明細書で説明した用語及び／または本明細書の理解に必要な用語については、同一のまたは類似する意味を有する用語と置き換えてもよい。例えば、チャネル及び／またはシンボルは信号（シグナル）であってもよい。また、信号はメッセージであってもよい。また、「システム」及び「ネットワーク」という用語は、互換的に使用されてもよい。
【０１３０】
さらに、上述したパラメータなどは、絶対値で表されてもよいし、所定の値からの相対値で表されてもよいし、対応する別の情報で表されてもよい。例えば、無線リソースはインデックスで指示されるものであってもよい。
【０１３１】
eNB100（基地局）は、１つまたは複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局RRH：Remote Radio Head）によって通信サービスを提供することもできる。
【０１３２】
「セル」または「セクタ」という用語は、このカバレッジにおいて通信サービスを行う基地局、及び／または基地局サブシステムのカバレッジエリアの一部または全体を指す。さらに、「基地局」「eNB」、「セル」、及び「セクタ」という用語は、本明細書では互換的に使用され得る。基地局は、固定局（fixed station）、NodeB、eNodeB（eNB）、アクセスポイント（access point）、フェムトセル、スモールセルなどの用語で呼ばれる場合もある。
【０１３３】
UE200は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【０１３４】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１３５】
さらに、「含む（including）」、「含んでいる（comprising）」、及びそれらの変形の用語は、「備える」と同様に、包括的であることが意図される。さらに、本明細書或いは特許請求の範囲において使用されている用語「または（or）」は、排他的論理和ではないことが意図される。
【０１３６】
本明細書で使用した「第１」、「第２」などの呼称を使用した要素へのいかなる参照も、それらの要素の量または順序を全般的に限定するものではない。これらの呼称は、２つ以上の要素間を区別する便利な方法として本明細書で使用され得る。したがって、第１及び第２の要素への参照は、２つの要素のみがそこで採用され得ること、または何らかの形で第１の要素が第２の要素に先行しなければならないことを意味しない。
【０１３７】
本明細書の全体において、例えば、英語でのa, an, 及びtheのように、翻訳により冠詞が追加された場合、これらの冠詞は、文脈から明らかにそうではないことが示されていなければ、複数のものを含むものとする。
【０１３８】
また、本発明は、以下のように表現されてもよい。本発明の一態様は、無線基地局（eNB100）から送信される無線信号の基準受信電力レベル（例えば、RSRP/RSRQ）に基づいて前記無線基地局と無線リンクを設定する第１モード（非カバレッジ拡張モード）と、前記第１モードよりも前記基準受信電力レベルを段階的に引き下げた複数の低減レベル（CEレベル）の何れかに基づいて前記無線リンクを設定する第２モード（カバレッジ拡張モード）とを設定可能なユーザ装置（UE200）であって、前記第２モードに設定される場合、前記低減レベルと対応付けられている前記基準受信電力レベルの受信品質閾値（Qin/Qout）を設定するレベル設定部（CEレベル設定部230）と、前記レベル設定部によって設定された前記受信品質閾値に基づいて、前記無線リンクのモニタリングを実行する無線リンクモニタ部（無線リンクモニタ部240）とを備え、前記レベル設定部は、前記ユーザ装置が何れの前記低減レベルに設定されているか否かに関わらず、最大の前記低減レベルと対応付けられている前記受信品質閾値を設定することを要旨とする。
【０１３９】
本発明の一態様は、無線基地局から送信される無線信号の基準受信電力レベルに基づいて前記無線基地局と無線リンクを設定する第１モードと、前記第１モードよりも前記基準受信電力レベルを段階的に引き下げた複数の低減レベルの何れかに基づいて前記無線リンクを設定する第２モードとを設定可能なユーザ装置であって、前記第２モードに設定される場合、前記低減レベルと対応付けられている前記基準受信電力レベルの受信品質閾値を設定するレベル設定部と、前記無線信号の受信電力レベルを測定するとともに、前記レベル設定部によって設定された前記受信品質閾値に基づいて、前記無線リンクのモニタリングを実行する無線リンクモニタ部とを備え、前記レベル設定部は、前記ユーザ装置が何れの前記低減レベルに設定されているか否かに関わらず、前記無線リンクモニタ部によって測定された前記受信電力レベルと対応する前記受信品質閾値を設定することを要旨とする。
【０１４０】
本発明の一態様は、ユーザ装置が受信する無線信号の基準受信電力レベルに基づいて前記ユーザ装置と無線リンクを設定する第１モードと、前記第１モードよりも前記基準受信電力レベルを段階的に引き下げた複数の低減レベルの何れかに基づいて前記無線リンクを設定する第２モードとを設定可能な無線通信方法であって、前記基準受信電力レベルの受信品質閾値を前記ユーザ装置に通知する報知情報を送信するステップを含み、前記送信するステップでは、前記低減レベル毎に対応付けられた前記受信品質閾値を含む前記報知情報を前記ユーザ装置に送信することを要旨とする。
【０１４１】
本発明の一態様において、前記送信するステップでは、前記低減レベル毎に対応付けられた前記受信品質閾値と、前記基準受信電力レベルの受信品質閾値との差分を含む前記報知情報を送信してもよい。
【０１４２】
本発明の一態様は、ユーザ装置が受信する無線信号の基準受信電力レベルに基づいて前記ユーザ装置と無線リンクを設定する第１モードと、前記第１モードよりも前記基準受信電力レベルを段階的に引き下げた複数の低減レベルの何れかに基づいて前記無線リンクを設定する第２モードとを設定可能な無線通信方法であって、前記ユーザ装置に対する個別の情報である個別情報を前記ユーザ装置に送信するステップを含み、前記送信するステップでは、前記基準受信電力レベルの受信品質閾値を含む前記個別情報を前記ユーザ装置に送信し、前記低減レベル毎に対応付けられた前記受信品質閾値を前記個別情報に含めることを要旨とする。
【０１４３】
本発明の一態様において、前記送信するステップでは、前記低減レベル毎に対応付けられた前記受信品質閾値と、前記基準受信電力レベルの受信品質閾値との差分を前記個別情報に含めてもよい。
【０１４４】
本発明の一態様は、ユーザ装置が受信する無線信号の基準受信電力レベルに基づいて前記ユーザ装置と無線リンクを設定する第１モードと、前記第１モードよりも前記基準受信電力レベルを段階的に引き下げた複数の低減レベルの何れかに基づいて前記無線リンクを設定する第２モードとを設定可能な無線通信方法であって、前記低減レベルにおける前記無線リンクのモニタリングに適用されるタイマ関係値を前記ユーザ装置に通知する報知情報を送信するステップを含み、前記送信するステップでは、前記低減レベル毎に対応付けられた前記タイマ関係値を前記ユーザ装置に送信することを要旨とする。
【０１４５】
本発明の一態様において、前記送信するステップでは、前記低減レベル毎に対応付けられた前記タイマ関係値と、前記基準受信電力レベルに対応付けられた前記タイマ関係値との関係を特定可能な係数を前記ユーザ装置に送信してもよい。
【０１４６】
本発明の一態様は、ユーザ装置が受信する無線信号の基準受信電力レベルに基づいて前記ユーザ装置と無線リンクを設定する第１モードと、前記第１モードよりも前記基準受信電力レベルを段階的に引き下げた複数の低減レベルの何れかに基づいて前記無線リンクを設定する第２モードとを設定可能な無線通信方法であって、前記低減レベルにおける前記無線リンクのモニタリングに適用されるタイマ関係値を前記ユーザ装置に通知する報知情報を送信するステップを含み、前記送信するステップでは、前記基準受信電力レベルと対応付けられたタイマ関係値と異なり、前記低減レベルの一部と対応付けられた前記タイマ関係値を前記ユーザ装置に送信することを要旨とする。
【０１４７】
本発明の一態様は、ユーザ装置が受信する無線信号の基準受信電力レベルに基づいて前記ユーザ装置と無線リンクを設定する第１モードと、前記第１モードよりも前記基準受信電力レベルを段階的に引き下げた複数の低減レベルの何れかに基づいて前記無線リンクを設定する第２モードとを設定可能な無線通信方法であって、前記ユーザ装置に対する個別の情報である個別情報を前記ユーザ装置に送信するステップを含み、前記送信するステップでは、前記低減レベルにおける前記無線リンクのモニタリングに適用されるタイマ関係値を含む前記個別情報を前記ユーザ装置に送信し、前記基準受信電力レベルと対応付けられたタイマ関係値と異なり、前記低減レベルの一部と対応付けられた前記タイマ関係値を前記個別情報に含めることを要旨とする。
【０１４８】
本発明の一態様は、ユーザ装置が受信する無線信号の基準受信電力レベルに基づいて前記ユーザ装置と無線リンクを設定する第１モードと、前記第１モードよりも前記基準受信電力レベルを段階的に引き下げた複数の低減レベルの何れかに基づいて前記無線リンクを設定する第２モードとを設定可能な無線基地局（eNB100）であって、前記基準受信電力レベルの受信品質閾値を前記ユーザ装置に通知する報知情報を送信する報知情報送信部（報知情報送信部140）を備え、前記報知情報送信部は、前記低減レベル毎に対応付けられた前記受信品質閾値を含む前記報知情報を前記ユーザ装置に送信することを要旨とする。
【０１４９】
本発明の一態様において、前記報知情報送信部は、前記低減レベル毎に対応付けられた前記受信品質閾値と、前記基準受信電力レベルの受信品質閾値との差分を含む前記報知情報を送信してもよい。
【０１５０】
本発明の一態様は、ユーザ装置が受信する無線信号の基準受信電力レベルに基づいて前記ユーザ装置と無線リンクを設定する第１モードと、前記第１モードよりも前記基準受信電力レベルを段階的に引き下げた複数の低減レベルの何れかに基づいて前記無線リンクを設定する第２モードとを設定可能な無線基地局（eNB100）であって、前記ユーザ装置に対する個別の情報である個別情報を前記ユーザ装置に送信する個別情報送信部（個別情報送信部150）を備え、前記個別情報送信部は、前記基準受信電力レベルの受信品質閾値を含む前記個別情報を前記ユーザ装置に送信し、前記低減レベル毎に対応付けられた前記受信品質閾値を前記個別情報に含めることを要旨とする。
【０１５１】
本発明の一態様において、前記個別情報送信部は、前記低減レベル毎に対応付けられた前記受信品質閾値と、前記基準受信電力レベルの受信品質閾値との差分を前記個別情報に含めてもよい。
【０１５２】
本発明の一態様は、ユーザ装置が受信する無線信号の基準受信電力レベルに基づいて前記ユーザ装置と無線リンクを設定する第１モードと、前記第１モードよりも前記基準受信電力レベルを段階的に引き下げた複数の低減レベルの何れかに基づいて前記無線リンクを設定する第２モードとを設定可能な無線基地局（eNB100）であって、前記低減レベルにおける前記無線リンクのモニタリングに適用されるタイマ関係値（T310/T311/N310/N311）を前記ユーザ装置に通知する報知情報を送信する報知情報送信部（報知情報送信部140）を備え、前記報知情報送信部は、前記低減レベル毎に対応付けられた前記タイマ関係値を前記ユーザ装置に通知することを要旨とする。
【０１５３】
本発明の一態様において、前記報知情報送信部は、前記低減レベル毎に対応付けられた前記タイマ関係値と、前記基準受信電力レベルに対応付けられた前記タイマ関係値との関係を特定可能な係数を前記ユーザ装置に通知してもよい。
【０１５４】
本発明の一態様は、ユーザ装置が受信する無線信号の基準受信電力レベルに基づいて前記ユーザ装置と無線リンクを設定する第１モードと、前記第１モードよりも前記基準受信電力レベルを段階的に引き下げた複数の低減レベルの何れかに基づいて前記無線リンクを設定する第２モードとを設定可能な無線基地局（eNB100）であって、前記低減レベルにおける前記無線リンクのモニタリングに適用されるタイマ関係値を前記ユーザ装置に通知する報知情報を送信する報知情報送信部（報知情報送信部140）を備え、前記報知情報送信部は、前記基準受信電力レベルと対応付けられたタイマ関係値と異なり、前記低減レベルの一部と対応付けられた前記タイマ関係値を前記ユーザ装置に通知することを要旨とする。
【０１５５】
本発明の一態様は、ユーザ装置が受信する無線信号の基準受信電力レベルに基づいて前記ユーザ装置と無線リンクを設定する第１モードと、前記第１モードよりも前記基準受信電力レベルを段階的に引き下げた複数の低減レベルの何れかに基づいて前記無線リンクを設定する第２モードとを設定可能な無線基地局（eNB100）であって、前記ユーザ装置に対する個別の情報である個別情報を前記ユーザ装置に送信する個別情報送信部（個別情報送信部150）を備え、前記個別情報送信部は、前記低減レベルにおける前記無線リンクのモニタリングに適用されるタイマ関係値を含む前記個別情報を前記ユーザ装置に送信し、前記基準受信電力レベルと対応付けられたタイマ関係値と異なり、前記低減レベルの一部と対応付けられた前記タイマ関係値を前記個別情報に含めることを要旨とする。
【０１５６】
上記のように、本発明の実施形態を記載したが、この開示の一部をなす論述及び図面はこの発明を限定するものであると理解すべきではない。この開示から当業者には様々な代替実施の形態、実施例及び運用技術が明らかとなろう。
【０１５７】
なお、日本国特許出願第2015-217958号（2015年11月5日出願）の全内容が、参照により、本願明細書に組み込まれている。
【産業上の利用可能性】
【０１５８】
上述したユーザ装置及び無線通信方法によれば、カバレッジ拡張モードが作動している場合でも、無線リンク障害（RLF）を適切に検出することができる。
【符号の説明】
【０１５９】
10  無線通信システム
20  無線アクセスネットワーク
100  eNB
110  CEレベル設定部
120  受信品質閾値保持部
130  タイマ値保持部
140  報知情報送信部
150  個別情報送信部
160  無線通信部
200  UE
210  報知情報受信部
220  個別情報受信部
230  CEレベル設定部
240  無線リンクモニタ部
250  無線通信部
【図１】
2017078090.tif 000003
【図２】
2017078090.tif 000004
【図３】
2017078090.tif 000005
【図４】
2017078090.tif 000006
【図５】
2017078090.tif 000007
【図６】
2017078090.tif 000008
【図７】
2017078090.tif 000009
【図８】
2017078090.tif 000010
【図９】
2017078090.tif 000011
【図１０】
2017078090.tif 000012
【図１１】
2017078090.tif 000013
【手続補正書】
【提出日】平成30年7月23日(2018.7.23)
【手続補正１】
【補正対象書類名】特許請求の範囲
【補正対象項目名】全文
【補正方法】変更
【補正の内容】
【特許請求の範囲】
【請求項１】
無線基地局から送信される無線信号の基準受信電力レベルに基づいて前記無線基地局と無線リンクを設定する第１モードと、前記第１モードよりも前記基準受信電力レベルを段階的に引き下げた複数の低減レベルの何れかに基づいて前記無線リンクを設定する第２モードとを設定可能なユーザ装置であって、
前記第２モードに設定される場合、前記低減レベルと対応付けられている前記基準受信電力レベルの受信品質閾値を設定するレベル設定部と、
前記レベル設定部によって設定された前記受信品質閾値に基づいて、前記無線リンクのモニタリングを実行する無線リンクモニタ部と
を備え、
前記レベル設定部は、前記ユーザ装置が何れの前記低減レベルに設定されているか否かに関わらず、最大の前記低減レベルと対応付けられている前記受信品質閾値を設定するユーザ装置。
【請求項２】
無線基地局から送信される無線信号の基準受信電力レベルに基づいて前記無線基地局と無線リンクを設定する第１モードと、前記第１モードよりも前記基準受信電力レベルを段階的に引き下げた複数の低減レベルの何れかに基づいて前記無線リンクを設定する第２モードとを設定可能なユーザ装置であって、
前記第２モードに設定される場合、前記低減レベルと対応付けられている前記基準受信電力レベルの受信品質閾値を設定するレベル設定部と、
前記無線信号の受信電力レベルを測定するとともに、前記レベル設定部によって設定された前記受信品質閾値に基づいて、前記無線リンクのモニタリングを実行する無線リンクモニタ部と
を備え、
前記レベル設定部は、前記ユーザ装置が何れの前記低減レベルに設定されているか否かに関わらず、前記無線リンクモニタ部によって測定された前記受信電力レベルと対応する前記受信品質閾値を設定するユーザ装置。
【請求項３】
ユーザ装置が受信する無線信号の基準受信電力レベルに基づいて前記ユーザ装置と無線リンクを設定する第１モードと、前記第１モードよりも前記基準受信電力レベルを段階的に引き下げた複数の低減レベルの何れかに基づいて前記無線リンクを設定する第２モードとを設定可能な無線通信方法であって、
無線アクセスネットワークが、前記基準受信電力レベルの受信品質閾値を前記ユーザ装置に通知する報知情報を送信するステップを含み、
前記送信するステップでは、前記低減レベル毎に対応付けられた前記受信品質閾値を含む前記報知情報を前記ユーザ装置に送信する無線通信方法。
【国際調査報告】
2017078090.tif 000014
2017078090.tif 000015
2017078090.tif 000016
2017078090.tif 000017
2017078090.tif 000018
2017078090.tif 000019
2017078090.tif 000020
2017078090.tif 000021